(57)【要約】【課題】飾り等を吊すとともにそれを照らすことができ、重いものも吊り下げ可能強度を有しながらも、簡単な構成でシール性、加工性及び施工性のよい壁付け用の照明器具を提供する。【解決手段】ランプが取付けられるソケット２が設けられ、パッキン５を介して壁面に取付けられる取付プレート４と、前面に前記ランプソケット２が挿入される開口部を有し、外周縁端部がパッキン５に押し当てられて取付プレート４に固定されるキャップ形状の器具本体６と、この器具本体６の前面に取付けられランプ１を覆うグローブ７と、器具本体６の下部に設けられ物品を吊り下げるフック９と、を備え、取付プレート４の上端部に前方に向けて折り曲げ形成された突板４ｂと、器具本体６の上端部の内側に設けられ突板４ｂに引掛けられる引掛部１５と、器具本体６の縦方向の中央近傍の横方向の両端部を取付プレート４に固定する一対のネジ１０を備える。【選択図】図４
2006140102.tif 000002
【特許請求の範囲】
【請求項１】
壁面に取付けられ、ランプが取付けられるソケット及び上端部が前方に向けて折り曲げ形成された突板を有する取付プレートと、
前記取付プレートを覆うキャップ形状に形成され、外周縁端部が壁面に押し当てられ、上端部の内側に前記取付プレートの突板に引掛けられる引掛部、前面に前記ランプまたは前記ソケットが挿入される開口部、縦方向の中央近傍の両横端部を前記取付プレートに固定する固定手段、及び、下部に物品を吊り下げるフックを有する器具本体と、
この器具本体の前面に設けられ前記ランプを覆うグローブと、
を備えた照明器具。
【請求項２】
外縁が前記器具本体の外周端部に沿ったパッキンを備え、
前記取付けプレートが前記パッキンを介して壁面に取り付けられ、器具本体の外周縁端部が前記パッキンを介して壁面に押し当てられるように構成した請求項１に記載の照明器具。
【請求項３】
外縁が前記器具本体の外周端部に沿った枠状のパッキンを備え、
前記取付けプレートが壁面に取り付けられ、器具本体の外周縁端部が前記パッキンを介して壁面に押し当てられるように構成した請求項１に記載の照明器具。
【請求項４】
前記引掛部は、前記突板と２箇所で当接するように一対の突起状に形成したことを特徴とする請求項１乃至請求項３のいずれかに記載の照明器具。
【請求項５】
前記突板の端部が前記引掛部と当接するように前記突板を傾斜させたことを特徴とする請求項１乃至請求項４のいずれかに記載の照明器具。
【請求項６】
前記引掛部は平面状に形成され、前記突板が前記引掛部と２箇所で当接するように、前記突板を一対の突起状に形成したことを特徴とする請求項１乃至請求項３のいずれかに記載の照明器具。
【発明の詳細な説明】
【技術分野】
【０００１】
この発明は照明器具に係り、特に、屋外の壁面等に取付けられ、飾り等を吊すとともにそれを照らすことができる壁付け用の照明器具に関する。
【背景技術】
【０００２】
従来の壁面に取付けられる照明器具は、例えば、ランプを取付けるソケット等が取付けられ、背面側の中央部にパッキンが取付けられた器具本体と、この器具本体の前面側に着脱自在とされたセードとから構成されている（例えば、特許文献１参照）。
【０００３】
【特許文献１】実開平６−６０９２０号公報（段落番号０００７、図１）
【発明の開示】
【発明が解決しようとする課題】
【０００４】
従来の照明器具は、照明器具自身に、飾り等が吊り下げ可能な突起部を有してなく、飾り等を吊すとともに照らすことができなかった。
また、この照明器具の下部に吊り下げ可能な突起を付加した場合、吊り下げにより、器具本体が傾き、器具本体の上部が浮いてしまいパッキンのシール性が悪くなることや、重いものは吊り下げられないという問題があった。
【０００５】
この発明は、上記のような問題点を解決するためになされたもので、飾り等を吊すとともにそれを照らすことができ、重いものも吊り下げ可能な強度を有しながらも、簡単な構成でシール性、加工性及び施工性のよい壁付け用の照明器具を提供することを目的とする。
【課題を解決するための手段】
【０００６】
この発明に係る照明器具は、壁面に取付けられ、ランプが取付けられるソケット及び上端部が前方に向けて折り曲げ形成された突板を有する取付プレートと、前記取付プレートを覆うキャップ形状に形成され、外周縁端部が壁面に押し当てられ、上端部の内側に前記取付プレートの突板に引掛けられる引掛部、前面に前記ランプまたは前記ソケットが挿入される開口部、縦方向の中央近傍の両横端部を前記取付プレートに固定する固定手段、及び、下部に物品を吊り下げるフックを有する器具本体と、この器具本体の前面に設けられ前記ランプを覆うグローブと、を備えたものである。
【発明の効果】
【０００７】
この発明によれば、壁面に取付けられ、ランプが取付けられるソケット及び上端部が前方に向けて折り曲げ形成された突板を有する取付プレートと、前記取付プレートを覆うキャップ形状に形成され、外周縁端部が壁面に押し当てられ、上端部の内側に前記取付プレートの突板に引掛けられる引掛部、前面に前記ランプまたは前記ソケットが挿入される開口部、縦方向の中央近傍の両横端部を前記取付プレートに固定する固定手段、及び、下部に物品を吊り下げるフックを有する器具本体と、この器具本体の前面に設けられ前記ランプを覆うグローブと、を備えたので、簡単な構成で重いものを吊り下げることができる。
【発明を実施するための最良の形態】
【０００８】
実施の形態１．
図１はこの発明の実施の形態１を示す照明器具の構成図であり、図１（ａ）は正面図、図１（ｂ）は図１（ａ）の側面図、図１（ｃ）はパッキンを除いた背面図、図２は前方から見たときの分解斜視図、図３は背面方向から見たときの分解斜視図、図４は図１（ｂ）の断面図、図５は図４の分解断面図である。
図１〜５において、照明器具は、前面にランプ１が取付けられるソケット２と、配線３が取付けられた取付プレート４と、取付プレート４と壁面の間に挟まれるパッキン５と、前面６ａにソケット２が挿入される開口部６ｂを有し、外周縁端部６ｃがパッキン５に押し当てられ、取付プレート４を内部に挿入して、取付プレート４を覆うように取付プレート４に固定されるキャップ形状の器具本体６と、この器具本体６の前面６ａにランプ１を覆うように設けられたグローブ７と、器具本体６の下部に設けられ飾り、表示板、メッセージプレート等の物品８を吊り下げるフック９とから構成される。
なお、取付プレート４は例えば、鉄板、器具本体６はアルミダイキャスト等を使用している。
【０００９】
取付プレート４は、器具本体６の内部に挿入できるように、器具本体６の楕円形状の外周縁端部６ｃの内側形状に合わせ、加工性を考慮して細長の８角形状とし、周縁が前面側に折り曲られた周縁部４ａが設けられている。また、上端部に前方に向けて折り曲げ形成された突板４ｂが設けられている。また、取付穴４ｃ、電源コードの通し穴４ｄが設けられている。また、縦方向の中央近傍の横方向の両端部に器具本体６の固定用のネジ１０が設けられている。
【００１０】
また、器具本体６の開口部６ｂの周縁の前面側にはリングパッキン１２用の溝１３が形成され、その背面側にはリブ１４が設けられている。また、上端部内側には、図３、図４に示すように取付プレート４の突板４ｂに当接する引掛部１５と、縦方向の中央近傍の横方向の両端部に、取付プレート４のネジ１０が挿入される取付穴１８が設けられている。
【００１１】
次に、器具本体の上端部内側に設けられた引掛部１５につき図６により説明する。図６は図１（ｃ）の部分拡大図とその断面図であり、図６（ａ）は図１（ｃ）の照明器具上部の拡大図、図６（ｂ）は図６（ａ）のＡ−Ａ断面図である。引掛部１５は、下駄の歯状に形成された一対の突起であり、取付プレート４の突板４ｂと当接している。
【００１２】
グローブ７は、図４、図５に示すように断面略Ｌ字状に形成された開口周縁端部７ａが設けられ、この開口周縁端部７ａと器具本体６のリブ１４が断面コの字状のクリップ１６で挟んで固定され、更にクリップ１６がリブ１４にネジ１７で固定されている。また、フック９は一端に取付用のネジ９ａを有し器具本体６の下部にナット１９で取付けられる。
【００１３】
また、パッキン５は、外周形状が器具本体６の外周縁端部６ｃより大きくしてあり、取付プレート４の固定具（図示せず）の通し穴５ａ、及び電源コード通し用のスリット５ｂが設けられている。
【００１４】
次に、この発明の実施の形態１の照明器具の組立て、取付及び動作について説明する。
まず、器具本体６とグローブ７の組立ては、図５に示すように器具本体６の開口部６ｂ前面のリングパッキン用の溝１３にリングパッキン１２をはめ込み、器具本体６の開口部６ｂにグローブ７の開口周縁端部７ａを挿入し、グローブ７の開口周縁端部７ａと器具本体６の開口部６ｂの裏側のリブ１４をクリップ１６で挟み、更にクリップ１６をリブ１４にネジ１７で固定する。また、フック９を器具本体６の下部にナット１９で固定する。
【００１５】
一方、取付プレート４にソケット２を取付け、ネジ１０を取付け、背面にパッキン５を両面テープで固定する。
次に、取付プレート４の通し穴４ｄに電源線（図示せず）を通し、取付プレート４を壁面に取付穴４ｃを用いて固定具で固定する。
次に、図２に示すようにグローブ７と器具本体６を組み立てたものを取付プレート４に取付けるが、取付プレート４の上部の突板４ｂに器具本体６の引掛部１５を引っ掛け、器具本体６の取付穴１８を取付プレート４のネジ１０に挿入し、パッキン５に器具本体６の外周縁端部６ｃを当てナット１１で締め付け固定する。
【００１６】
壁面に取付けられた照明器具には、図１に示すようにメッセージプレートの他、飾り、花の鉢等が吊り下げられる。このとき、飾りの荷重は中央部の２箇所に固定されるネジ１０及びナット１１と、取付プレート４の突板４ｂ及び器具本体６の引掛部１５の当接部分とに分散されるので、フック９に加わる荷重に対し十分な吊り下げ強度を確保できる。また、中央部の２箇所のネジ１０とナット１１により器具本体６が取付プレート４に固定されるので、この箇所を支点とするモーメントが働き、器具本体６の上部が手前方向に、下部が背面方向に回転しようとする。しかし、器具本体６の上部の引掛部１５がフック９に加わる荷重により取付プレート４の突板４ｂに圧接され、引掛部１５と突板４ｂとの間に生じる摩擦力により引掛部１５が突坂４ｂに対し移動しないので、器具本体６の上部が浮き上がらない。
【００１７】
以上のように、この発明の照明器具は、器具本体６が取付プレート４に対し、器具本体６の中央部の２箇所の固定手段と器具本体６の上端部内側に設けられ突板４ｂに当接する引掛部１５と、を備え、フック９に加わる荷重を３箇所で支持し、引掛部１５と突板４ｂとの間に生じる摩擦力により引掛部１５が突板４ｂに対し移動しないので、重いものを吊り下げ可能な強度を有しながら簡単な構成でパッキン５から器具本体６が浮き上がることもなく、シール性をよくすることができる。
また、取付プレート４は、器具本体６の内部に挿入できるように、器具本体６の楕円形状の外周縁端部６ｃの内側形状に合わせて細長の８角形状とし、上端部を折り曲げて突板４ｂを形成したので加工性がよい。
また、取付プレート４と本体器具６とを別体で形成し、取付プレート４をパッキン５を介して壁面に取付けた後に本体器具６を取付プレート４に取付けるので施工性がよい。
また、引掛部１５は、一対の突起に形成され、引掛部１５と２点で当接するので、器具本体６を取付プレート４に対して傾かないように固定することができる。
【００１８】
なお、本実施の形態では、取付器具４の裏面をパッキン５で全体を封じたが、図７に示すように外縁が器具本体６の外周端部に沿った枠状のパッキン２２を備え、図８に示すように、取付プレート４の外縁がパッキン２２の内周よりも小さくし、取付けプレート４が壁面に取り付けられ、器具本体６の外周縁端部がパッキン２２を介して壁面に押し当てられるように構成してもよい。この構成において、材料の節約をはかることができる。
【００１９】
また、以上のようにパッキン５、２２を使用する例を説明したが、室内で使用するときは、パッキン５、２２を使用せずに壁面に取付けてもよい。この構成において、重いものでもフック９に吊り下げることができる。
【００２０】
実施の形態２．
実施の形態１では取付プレート４の上端部の突板４ｂは前方に向けて突設されていたが、本実施の形態は突板４ｂを、傾斜板としたものである。
図９はこの発明の実施の形態２を示す照明器具の背面の部分拡大図であり、図９（ａ）は照明器具上部の拡大図、図９（ｂ）は図９（ａ）のＡ−Ａ断面図、図１０は取付プレートの上部の斜視図である。
図において、器具本体６の上部の引掛部１５は、実施の形態１と同じく一対の引掛部１５であり、この引掛部１５と当接する取付プレート４の上部が折り曲げ形成された傾斜板４ｅとし、この傾斜板４ｅの端部が引掛部１５と当接する。
【００２１】
この構成において、当接部の垂直方向との傾斜角度は組み立て前は、小さく、取付プレート４に器具本体６を取付けるときに、撓んで小さくなり、器具本体６の引掛部１５を押圧する。そのため、摩擦力により器具本体６の引掛部１５に取付プレート４に対し移動しない。
従って、重いものも吊り下げ可能な強度を有しながらも、簡単な構成でパッキン５から器具本体が浮き上がるのをよりよく防ぎ、シール性をよりよくすることができる。
【００２２】
実施の形態３．
実施の形態１では器具本体６の上部の引掛部１５は、一対の突起とし取付プレート４の突板４ｂが平面状であったが、本実施の形態は取付プレート４の突板４ｂを一対の突板とし、器具本体６の上部の引掛部１５を平面状としたものである。
図１１はこの発明の実施の形態３を示す照明器具の背面の部分拡大図であり、図１１（ａ）は照明器具上部の拡大図、図１１（ｂ）は図１１（ａ）のＡ−Ａ断面図、図１２は取付プレート４の上部の部分斜視図である。
図に示すように、器具本体６の上部には平面状の引掛部２１が設けられ、取付プレート４の上部は、前方に折り曲げ形成された一対の突板４ｆが設けられている。
【００２３】
この構成により、器具本体６の上部の引掛部２１が取付プレート４の一対の突板に当接して固定され、重いものも吊り下げ可能な強度を有しながらも、簡単な構成でパッキン５から器具本体６が浮き上がるのを防ぎ、シール性をよくすることができる。
なお、実施の形態１の取付プレート４の突板４ｂと引掛部２１を当接して固定してもよい。
【００２４】
以上、実施の形態ｌ〜３の説明において、ソケットを取付プレートに設ける例を示したが、器具本体に設けるように構成してもよい。
【００２５】
また、ソケットを開口部に挿入する構成を示したが、ランプを開口部に挿入するように構成してもよい。また、ランプをソケットに取付けた状態で両者を開口部に挿入するようにしてもよい。
【００２６】
また、器具本体の縦方向の中央近傍の両横端部を取付プレートと固定する固定手段を一対のネジとナットで構成する例を示したが、他の固定手段により構成してもよい。また、固定手段を複数対設けてもよい。
【００２７】
また、グローブを器具本体と別体で構成し、グローブを器具本体に取付ける例を示したが、グローブを器具本体と一体に構成してもよい。
【００２８】
また、実施の形態１の取付プレ−ト４の突板４ｂと平面状の引掛部２１を当接させて構成してもよく、突板４ｂと引掛部２１との間に生じる摩擦力により引掛部２１が突板４ｂに対し移動しない。
【図面の簡単な説明】
【００２９】
【図１】この発明の実施の形態１を示す照明器具の構成図である。
【図２】この発明の実施の形態１を示す照明器具の分解斜視図である。
【図３】この発明の実施の形態１を示す照明器具の分解斜視図である。
【図４】この発明の実施の形態１を示す照明器具の断面図である。
【図５】図４の分解斜視図である。
【図６】この発明の実施の形態１を示す照明器具の部分拡大図である。
【図７】この発明の実施の形態１を示す照明器具のパッキンの平面図である。
【図８】この発明の実施の形態１を示す照明器具の断面図である。
【図９】この発明の実施の形態２を示す照明器具の部分拡大図である。
【図１０】この発明の実施の形態２を示す照明器具の取付プレートの部分斜視図である。
【図１１】この発明の実施の形態３を示す照明器具の部分拡大図である。
【図１２】この発明の実施の形態３を示す照明器具の取付プレートの部分斜視図である。
【符号の説明】
【００３０】
１  ランプ、２  ソケット、４  取付プレート、４ｂ  突板、４ｅ  傾斜板、４ｆ  突板、５  パッキン、６  器具本体、６ａ  前面、６ｂ  開口部、６ｃ  外周縁端部、７  グローブ、８  物品、９  フック、１０  ネジ、１１  ナット、１４  リブ、１５  引掛部、２１  引掛部、２２  パッキン。
【図１】
2006140102.tif 000003
【図２】
2006140102.tif 000004
【図３】
2006140102.tif 000005
【図４】
2006140102.tif 000006
【図５】
2006140102.tif 000007
【図６】
2006140102.tif 000008
【図７】
2006140102.tif 000009
【図８】
2006140102.tif 000010
【図９】
2006140102.tif 000011
【図１０】
2006140102.tif 000012
【図１１】
2006140102.tif 000013
【図１２】
2006140102.tif 000014